(57)【特許請求の範囲】
【請求項１】
電子部品を収納した外装ケースと、弾性部材によりコネクタ本体の内側から外側へ突出する方向に付勢された突出部材を備えたコネクタとを備え、前記外装ケースには、電気的なケーブル線が接続された前記コネクタを収納するコネクタ収納部を備えた電子機器において、前記コネクタ収納部は、前記コネクタが出入りする入り口部と、前記収納部に収納されたコネクタを保持する保持部とを備え、前記入り口部は、前記突出部材が最大に突出した状態では前記コネクタが通過不能であり、所定の量だけ引っ込んだ状態では通過可能である寸法に形成され、前記保持部は、前記突出部材が略最大に突出した状態で前記コネクタを収納可能な寸法に形成され、前記コネクタ収納部はさらに、前記コネクタを前記収納部に収納したときに前記コネクタの前記ケーブル線が接続された側の反対側となる部分に設けられた、指先を入れることの可能な空きスペースを備えていることを特徴とする電子機器。
【請求項２】
前記空きスペースを形成する前記コネクタ収納部の周壁は、平面視においてその一部が曲線状に形成されていることを特徴とする、請求項１に記載の電子機器。
【請求項３】
前記外装ケーズは、前記ケーブル線を収納するためのケーブル線収納溝を有していることを特徴とする請求項１又は２に記載の電子機器。
【請求項４】
前記コネクタ収納部と前記ケーブル線収納溝は、前記電子機器の同一表面に設けられていることを特徴とする請求項３に記載の電子機器。
【請求項５】
前記同一表面は、前記電子機器の底面であることを特徴とする請求項４に記載の電子機器。
【請求項６】
前記コネクタは、無線通信による携帯電話に接続可能であることを特徴とする請求項１乃至５のいずれか１に記載の電子機器。
【請求項７】
前記コネクタは前記電子機器或いは外部機器に接続されたとき、該機器との接続をロックするロック部材を備え、前記突出部材は、前記ロック部材を動作させて前記ロックを解除する操作部材であることを特徴とする請求項１乃至６のいずれか１に記載の電子機器。
【請求項８】
前記コネクタ収納部は、前記外装ケースの外表面に設けられたことを特徴とする請求項１乃至７のいずれか１に記載の電子機器。
【発明の詳細な説明】
【０００１】
【発明の属する技術分野】
本発明は、外部機器に接続することができる電子機器に関し、特に、外部機器に接続するためのコネクタ付きケーブル線を収納するための構造に関する。
【０００２】
【従来の技術】
従来のコネクタ付きケーブル線を収納するための構造としては、例えば、特開２０００−１７２３７７号公報に開示さえたような構造がある。その構造では、電子機器のケースにコネクタ付きケーブル線を収納するための収納部を形成し、そのケーブルを収納するケーブル収納部分は、ケーブルの許容曲げ半径以上の曲率半径にて同一面状ににて蛇行している、ケーブルを収納可能な幅を備えた溝として構成している。そして、コネクタにはその両側部に、コネクタ本体内へ或は外へ伸縮可能なツマミ部を設け、収納部のこのコネクタを収納するコネクタ収納溝の幅は、コネクタに設けられた伸縮可能なツマミ部が収縮した時の幅より広く、ツマミ部が伸張した時の幅より狭くなっている。
【０００３】
【発明が解決しようとする課題】
従来のコネクタ付きケーブル線を収納するための構造は、上述のように、電子機器に、ケーブル線を蛇行させて収納するための収納溝と、このケーブル線に取りつけられているコネクタを、このコネクタに設けられている伸縮可能なツマミ部を収縮させた状態で収納するための収納溝とを設け、ツマミ部の部の弾性力により摩擦でコネクタをコネクタ収納溝に保持し、一方ケーブル線の弾性による摩擦によりケーブルがケーブル収納溝内に留まるようにして、コネクタ付きケーブル線が電子機器に収納されて脱落しないような構造になっていた。このように、コネクタ付きケーブル線は摩擦力によって電子機器に取りつけられているので、その収納は完全ではなく、不測の力が作用した場合にケーブル線が電子機器のケースから脱落することがあった。また、伸縮可能なツマミ部を収縮させて収納しているので、ツマミ部を付勢している付勢部材が経時劣化することがあった。
【０００４】
本発明の目的は、簡単な構成によりコネクタ付きケーブル線を収納し、不慮に脱落することがなく、付勢部材が経時劣化することのない電子機器を提供しようとするものである。
【０００５】
【課題を解決するための手段】
上記目的を達成するために、本発明に掛かる電子機器においては、電子部品を収納した外装ケースと、弾性部材によりコネクタ本体の内側から外側へ突出する方向に付勢された突出部材を備えたコネクタとを備え、前記外装ケースには、電気的なケーブル線が接続された前記コネクタを収納するコネクタ収納部を備えた電子機器において、前記コネクタ収納部は、前記コネクタが出入りする入り口部と、前記収納部に収納されたコネクタを保持する保持部とを備え、前記入り口部は、前記突出部材が最大に突出した状態では前記コネクタが通過不能であり、所定の量だけ引っ込んだ状態では通過可能である寸法に形成され、前記保持部は、前記突出部材が略最大に突出した状態で前記コネクタを収納可能な寸法に形成され、前記コネクタ収納部はさらに、前記コネクタを前記収納部に収納したときに前記コネクタの前記ケーブル線が接続された側の反対側となる部分に設けられた、指先を入れることの可能な空きスペースを備えていることを特徴とするものである。
【０００６】
また、前記空きスペースを形成する前記コネクタ収納部の周壁は、平面視においてその一部が曲線状に形成されていることを特徴とするものである。
【０００７】
また、前記外装ケースは、前記ケーブル線を収納するためのケーブル線収納溝を有していることを特徴とするものである。
【０００８】
また、 前記コネクタは、無線通信による携帯電話に接続可能であることを特徴とするものである。
【０００９】
また、前記コネクタは前記電子機器或は外部機器に接続されたとき、該機器との接続をロックするロック部材を備え、前記突出部材は、前記ロック部材を動作させて前記ロックを解除する操作部材であることを特徴とするものである。
【００１０】
また、前記コネクタ収納部は、前記外装ケースの外表面に設けられたことを特徴とするものである。
【００１１】
また、前記コネクタ収納部と前記ケーブル線収納溝は、前記電子機器の同一表面に設けられたことを特徴とするものである。
【００１２】
また、前記同一平面は、前記電子機器の底面であることを特徴とするものである。
【００１３】
【発明の実施の形態】
以下発明の実施の形態を実施例に基づき図面を参照して説明する。
図１は、本発明に係る一実施例を示す斜視図である。図２は、図１におけるＡ−Ａ線矢視による底面図である。図３は、第２コネクタ収納部の拡大詳細図である。図４は、図３におけるＢ−Ｂ線による断面図である。図５は、図４の状態からコネクタがコネクタ収納部から離脱する方向に力を受けた時に突出部材が突起部に当たって離脱できない状態を示す説明図である。図６は、図５の状態からコネクタが離脱する方向に更に大きな力を受けて突出部材が突起部によって押されて引っ込んだ状態を示す説明図である。図７は、図６の状態からコネクタが離脱する方向に更に力を受けた時に突出部材が突起部を乗り越えて、コネクタがコネクタ収納部から離脱した状態を示す説明図である。図８は、第２コネクタを第２コネクタ収納部から離脱させた状態を示す底面図である。図９は、第２コネクタを第２コネクタ収納部に挿入する状態を示す断面図である。
【００１４】
図１において、本発明に係る電子機器１の一実施例の概略の構成について説明する。電子機器１は、本体２に蓋体３が開閉自在に取りつけられて構成されており、図１に示す状態は蓋体３を開いた状態であり、矢印ａの方向に回動させて蓋体３を閉じることができる。本体２は外装ケース２ａを備え、その上面にはデータ入力部２ｂとしてのキーボードが配設されている。また、本体２の内部には図示せぬ電源回路、制御回路、データ表示部駆動回路等が内蔵されている。一方蓋体３には、液晶ディスプレイ等で構成することのできるデータ表示部３ａが設けられている。
【００１５】
図２において、図１に示した本体２の底面２ｃの状態について説明する。この電子機器１に使用される接続ケーブル５ａは、ケーブル線５と、その一端に取付けられた、本電子機器１に接続するための本体用コネクタ或は第１コネクタ４と、他端側に取付けられた、外部機器に接続するための外部機器用コネクタ或は第２コネクタ６とからなっている。本体２の外装ケース２ａの底面２ｃには、第1コネクタ４を収納するための第1コネクタ収納部２ｄと、第２コネクタ６を収納するための第２コネクタ収納部２ｅと、第1コネクタ４と第２コネクタ６をつなぐケーブル線５を収納するためのケーブル線収納溝２ｆが凹設されている。第1コネクタ収納部２ｄには、第1コネクタ４と接続するための図示せぬ第1コネクタ接続部２ｇが内蔵されており、図示せぬ制御回路に接続されている。第1コネクタ４は図示のように第1コネクタ収納部２ｄに収納され、第1コネクタ接続部２ｇに接続されている。また、第２コネクタ収納部２ｅには第２コネクタ６が、ケーブル線５は収納溝２ｆにそれぞれ図示のように収納されるようになっている。
【００１６】
図３、および図４を用いて、第２コネクタ６が第２コネクタ収納部２ｅに収納されている状態について説明する。前述の通り外装ケース２ａの底面２ｃには窪みとして形成された第２コネクタ収納部２ｅが形成されており、ここに第２コネクタ６が収納されている。第２コネクタ６には、コネクタ本体６ｅの、ケーブル線５が繋がれた側と反対側の端部近くで両側部に、第２コネクタ６を外部機器に接続した時に、脱落を防止するためのフック部材６ａが設けられている。フック部材６ａは、その内側端部はコネクタ本体６ｅ内に位置し、本体６ｅ内に配置されたバネ等適宜な付勢手段（図示せず）によりフック部材６ａの外側端部が本体６ｅの外側へ向かって突出する方向へと付勢されており、このフック部材６ａは、外側端部を押すことにより、本体６ｅ内へ引っ込むようになっている。従って、第２コネクタ６を外部機器のコネクタに接続した時には、このフック部材６ａが外部機器に設けられている係合部に係合して掛け止めし、脱落しないように構成されている。
【００１７】
第２コネクタ６には、その両側部に、フック部材６ａよりケーブル線５が繋がれた側に近い位置で、第２コネクタ６を外部機器のコネクタから取り外す場合に使用する突出部材６ｂが設けられている。突出部材６ｂの内側端部はコネクタ本体６ｅ内に位置し、前述のフック部材６ａを付勢している付勢手段と同じでよい付勢手段によりその外側端部を本体６ｅの外側へ突出させるように付勢されている。そして、この突出部材６ｂは、コネクタ本体６ｅ内へ押しこまれるときに、フック部材６ａをも伴って本体６ｅ内へ引っ込めるように構成されている。従って、手指等でこの突出部材６ｂを押し込むことによってフック部材６ａを第２コネクタ６の内部に引っ込め、外部機器の係合部との係合を外して外部機器のコネクタから引き抜くことができる。
【００１８】
さらに、第２コネクタ収納部２ｅの図4で見た場合の上側端部には突起部２ｈが収納部２ｅ内へ突出するように形成されており、第２コネクタ６が第２コネクタ収納部２ｅに収納されている状態においては突出部材６ｂの上側に位置し、突出部材６ｂが突起部２ｈに当たることにより、第２コネクタ６は第２コネクタ収納部２ｅから脱落しないように構成されている。
【００１９】
図５において、第２コネクタ６が第２コネクタ収納部２ｅに収納されており、不慮に脱落しない状態について説明する。第２コネクタ６が第２コネクタ収納部２ｅに収納されている状態において、第２コネクタ６を第２コネクタ収納部２ｅから脱落させる方向の力Ｐ１が働くと、第２コネクタ６は、第２コネクタ収納部２ｅの上方に移動して、第２コネクタ６に設けられている２箇所の突出部材６ｂが、コネクタ収納部２ｅの入り口部に形成されている２箇所の突起部２ｈに当接する。突出部材６ｂは図示せぬ付勢部材によって、不慮に発生する可能性の有る、脱落させる方向の力Ｐ１によってもコネクタ本体６ｅ内へ押し込まれることがないよう、充分の付勢力をもって外方に突出する方向に付勢されているので、第２コネクタ６は、第２コネクタ収納部２ｅから不慮に脱落することがない。
【００２０】
図６、および図７において、第２コネクタ６を第２コネクタ収納部２ｅから取り出す状態について説明する。図５の状態から更に第２コネクタ６を第２コネクタ収納部２ｅ抜き取る方向の力Ｐ１をかけると、２箇所の突出部材６ｂは２箇所の突起部２ｈによって、外方に突出する方向に付勢されている付勢力に抗して押し込まれ、第２コネクタ６は第２コネクタ収納部２ｅから抜け出てくる。更に、第２コネクタ６を第２コネクタ収納部２ｅ抜き取る方向の力Ｐ１をかけことにより、第２コネクタ６は第２コネクタ収納部２ｅから矢印ｂの方向に抜き取ることができる。
【００２１】
次に、不慮に働く力によっては第２コネクタ６は第２コネクタ収納部２ｅから脱落することがないが、オペレータは、第２コネクタ６を第２コネクタ収納部２ｅから取り出すことができる理由について説明する。図７に示すように、第２コネクタ収納部２ｅの第２コネクタ６が収納される保持部の幅ｄ３が、第２コネクタ６に設けられている２箇の突出部材６ｂが付勢手段により外側へ最大に押出されたときの、その突出部材６ｂの外側端部間の距離ｄ１よりも大きく設定されている。従って、第２コネクタ６が第２コネクタ収納部２ｅに収納されている状態において突出部材６ｂは押されていないので、収納時に過度な力が付勢手段に作用することがなく、図示せぬ付勢部材は疲労劣化することがない。また、２箇所の突起部２ｈによって形成されている第２コネクタ収納部２ｅの入り口部の幅ｄ２が、第２コネクタ６に設けられている２箇所の突出部材６ｂの幅ｄ１よりも小さく設定されている。従って、第２コネクタ６に不慮に脱落させる方向の力Ｐ１がかかった場合においても、突出部材６ｂｈが突起部２ｈに当接することによって、第２コネクタ６は不慮に脱落することがない。しかしながら、図３から明らかなとおり、第２コネクタ収納部２ｅは、第２コネクタ６が収納された状態で、第２コネクタ６の先端側すなわちケーブル線５が接続されている側の反対側に、指先を入れることの可能な空きスペース２ｓが形成されるような形状になっている。従って、オペレータはこのスペース２ｓに指先を挿入して、第２コネクタ５を引き起こすようにしながら取り出すことができる。
【００２２】
図８において、第２コネクタ６を第２コネクタ収納部２ｅから離脱させた状態について説明する。図６、および図７に示すようにして第２コネクタ６を外装ケース２ａに形成された第２コネクタ収納部２ｅから抜き取る共に、ケーブル線５を収納溝２ｆから抜き取り、第２コネクタ６を矢印ｃ方向に取り外す。このようにして外装ケース２ａから取り外された第２コネクタ６は外部機器に接続することができる。
【００２３】
図９において、第２コネクタ６を第２コネクタ収納部２ｅに挿入する状態について説明する。第２コネクタ６を第２コネクタ収納部２ｅに挿入する場合は、ケーブル線５を収納溝２ｆに押し込むと共に、第２コネクタ６を第２コネクタ収納部２ｅに当てて押し込む方向の力Ｐ２を加えると、第２コネクタ６に設けられている２箇の突出部材６ｂが、コネクタ収納部２ｅの入り口部に形成されている２箇所の突起部２ｈに当接する。第２コネクタ６に更に押し込む方向の力Ｐ２を加えると、２箇所の突出部材６ｂは２箇所の突起部２ｈによって、外方に突出する方向に付勢されている付勢力に抗して押し込まれ、第２コネクタ６は第２コネクタ収納部２ｅに挿入され図４に示す状態となる。
【００２４】
【発明の効果】
以上説明したように、本発明によれば、第２コネクタ６が第２コネクタ収納部２ｅに収納されている状態において突出部材６ｂは押されていないので、図示せぬ付勢部材は疲労劣化することがない。また、第２コネクタ６に不慮に脱落させる方向の力Ｐ１がかかった場合においても、突出部材６ｂが突起部２ｈに当接することによって、第２コネクタ６は不慮に脱落することがない。
【図面の簡単な説明】
【図１】本発明に係る一実施例を斜め上方から見た状態を示す斜視図である。
【図２】図１におけるＡ−Ａ線矢視の状態を示す底面図である。
【図３】第２コネクタ収納部の拡大した状態を示す詳細図である。
【図４】図３におけるＢ−Ｂ線断面の状態を示す断面図である。
【図５】図４の状態からコネクタがコネクタ収納部から離脱する方向に力を受けた時に突出部材が突起部に当たって離脱できない状態を示す説明図である。
【図６】図５の状態からコネクタが離脱する方向に更に大きな力を受けて突出部材が突起部によって押されて陥没した状態を示す説明図である。
【図７】図６の状態からコネクタが離脱する方向に更に力を受けた時に突出部材が突起部を乗り越えて、コネクタがコネクタ収納部から離脱した状態を示す説明図である。
【図８】第２コネクタを第２コネクタ収納部から離脱させた状態を示す底面図である。
【図９】第２コネクタを第２コネクタ収納部に挿入する状態を示す断面図である。
【符号の説明】
１  電子機器
２  本体
２ａ  外装ケース
２ｂ  入力部
２ｃ  底面
２ｄ  第1コネクタ収納部
２ｅ  第２コネクタ収納部
２ｆ  収納溝２ｆ
２ｇ  第1コネクタ接続部
２ｈ  突起部
３  蓋体
３ａ  表示部
４  第1コネクタ
５  ケーブル線５
６  第２コネクタ
６ａ  フック部材
６ｂ  突出部材
【図１】
0003676982.tif 000002
【図２】
0003676982.tif 000003
【図３】
0003676982.tif 000004
【図４】
0003676982.tif 000005
【図５】
0003676982.tif 000006
【図６】
0003676982.tif 000007
【図７】
0003676982.tif 000008
【図８】
0003676982.tif 000009
【図９】
0003676982.tif 000010